(57)【要約】      （修正有）【課題】重ね合わせ面に記入領域が設けられて剥離可能に接着される重ね合わせ接着シートに関し、安価で記入情報の増量を図った接着シートを提供する。【解決手段】所定数の折り線１３が形成されたシート基材１２における第２葉１５の重ね合わせ面における重ね合わせ時に対象となる折り線１３の対向辺で隅部を含んで再剥離性粘着剤層１７を所定幅で形成し、第１紙葉１４及び第２葉１５の重ね合わせ両面で、再剥離性粘着剤層１７の形成領域以外の領域に折り線１３を跨いで記入領域１６を設けると共に、再剥離性粘着剤層１７の形成領域及び重ね合わされたときに当該再剥離性粘着剤層１７と対向する領域以外の領域で折り線１３を線対称に記入可能な再剥離自己接着層１８を形成する構成とする。【選択図】図１
2015058654.tif 000002
【特許請求の範囲】
【請求項１】
シート基材に重ね合わせのための折り線が所定数形成される重ね合わせ接着シートであって、
前記シート基材の重ね合わせ面の一方における重ね合わせ時に対象となる前記折り線の対向辺の少なくとも隅部に形成される再剥離性粘着剤層と、
前記シート基材の重ね合わせ両面で、前記再剥離性粘着剤層の形成領域以外の領域に、前記折り線を跨いで設けられる記入領域と、
前記シート基材の重ね合わせ両面で、前記再剥離性粘着剤層の形成領域及び重ね合わされたときに当該再剥離性粘着剤層と対向する領域以外の領域で前記折り線を線対称に形成される記入可能な再剥離自己接着層と、
を有することを特徴とする重ね合わせ接着シート。
【発明の詳細な説明】
【技術分野】
【０００１】
本発明は、重ね合わせ面に記入領域が設けられて剥離可能に接着される重ね合わせ接着シートに関する。
【背景技術】
【０００２】
近年、例えば２つ折りハガキとなる重ね合わせ接着シートにおいては、主に重ね合わせ面に形成される情報を隠蔽させる目的として使用されているが、ハガキとして重ね合わせ部分が全面密着状態としなければならないという制約がある。そのために形成される情報、特に後記入される個人情報などの情報量も制約されているという現状から、全面密着という条件下で形成される情報の増量が望まれる。
【０００３】
従来、重ね合わせ接着シートとして、例えば特許文献１，２に記載されているものが知られている。特許文献１には、同サイズのハガキ用紙と隠蔽用紙とが折り畳み可能に接合され、ハガキ用紙の内面に記入欄が設けられると共に、隠蔽用紙の内面全面に再剥離粘着剤が塗布されて剥離紙が貼着されたもので、ハガキ用紙の記入欄への記入後に剥離紙が剥がされた隠蔽用紙が再剥離可能に折り畳み接着させる隠蔽式ハガキが記載されている。
【０００４】
また、特許文献２には、案内情報が記載された用紙に葉書形成部が分離可能に区画され、当該葉書形成部が葉書本体紙片と折り部を介して折り重ね可能に連接される貼付紙片とからなり、貼付紙片の折り重ね面及び葉書本体紙片の折り重ね対向領域に申込記入欄が設けられ、一方、貼付紙片の折り部側に一辺を接着させた二層フィルムよりなる剥離可能な貼着シートが剥離紙を貼着させた状態で設けられたもので、申込記入欄への記入後に剥離紙を剥がし、葉書本体紙片と貼付紙片とを貼着シートを介在させて剥離可能に折り重ね接着させるものとする申込葉書付き案内書が記載されている。
【先行技術文献】
【特許文献】
【０００５】
【特許文献１】特許第２９３７７３２号公報
【特許文献２】特許第４２９９９０９号公報
【発明の概要】
【発明が解決しようとする課題】
【０００６】
しかしながら、特許文献１記載の隠蔽式ハガキは、再剥離粘着剤が器具などを使用せずに接着可能とさせると共に、折り畳み接着後に取扱いによって容易に剥がれにくくさせる必要性に応じた粘度のものとしなければならないことから、この塗布部分に記入欄を設けることができず、記入欄は必然的にハガキ用紙の内面のみに限られるという制約があり、それ以上の記入情報を増やすことができないという問題がある。
【０００７】
一方、特許文献２記載の申込葉書付き案内書は、貼着シートの貼着位置にかかわらず、折り重ね面の両方に記入欄を設けることができ、特許文献１に比して記入情報の増量を図ることができるが、二層フィルムよりなる剥離可能は貼着シートは再剥離粘着剤に比べて高価になるという問題がある。
【０００８】
そこで、本発明は上記課題に鑑みなされたもので、安価で記入情報の増量を図る重ね合わせ接着シートを提供することを目的とする。
【課題を解決するための手段】
【０００９】
上記課題を解決するために、請求項１の発明では、シート基材に重ね合わせのための折り線が所定数形成される重ね合わせ接着シートであって、前記シート基材の重ね合わせ面の一方における重ね合わせ時に対象となる前記折り線の対向辺の少なくとも隅部に形成される再剥離性粘着剤層と、前記シート基材の重ね合わせ両面で、前記再剥離性粘着剤層の形成領域以外の領域に、前記折り線を跨いで設けられる記入領域と、前記シート基材の重ね合わせ両面で、前記再剥離性粘着剤層の形成領域及び重ね合わされたときに当該再剥離性粘着剤層と対向する領域以外の領域で前記折り線を線対称に形成される記入可能な再剥離自己接着層と、を有するを有する構成とする。
【発明の効果】
【００１０】
請求項１の発明によれば、所定数の折り線が形成されたシート基材の重ね合わせ面の一方における重ね合わせ時に対象となる折り線の対向辺の少なくとも隅部に再剥離性粘着剤層を形成し、シート基材の重ね合わせ両面で、再剥離性粘着剤層の形成領域以外の領域に折り線を跨いで記入領域を設けると共に、再剥離性粘着剤層の形成領域及び重ね合わされたときに当該再剥離性粘着剤層と対向する領域以外の領域で折り線を線対称に形成される記入可能な再剥離自己接着層を形成する構成とすることにより、再剥離性接着剤層と再剥離自己接着層とで重ね合わせ面を全面密着させ、折り線を跨いで記入可能な再剥離自己接着層を含めた領域に記入領域を設けることを可能としたことから、安価で記入情報の増量を図ることができるものである。
【図面の簡単な説明】
【００１１】
【図１】本発明に係る重ね合わせ接着シートの構成図である。
【図２】図１の重ね合わせ接着シートの使用形態の説明図（１）である。
【図３】図１の重ね合わせ接着シートの使用形態の説明図（２）である。
【図４】本発明に係る重ね合わせ接着シートにおける他の実施形態の構成説明図（１）である。
【図５】本発明に係る重ね合わせ接着シートにおける他の実施形態の構成説明図（２）である。
【発明を実施するための形態】
【００１２】
以下、本発明の実施形態を図により説明する。本実施形態では、重ね合わせ接着シートについて、ハガキとする場合に適用した場合を例として示すが、その他封書用シートや帳票シートにおいても適用することができるものである。
【００１３】
図１に、本発明に係る重ね合わせ接着シートの構成図を示す。図１（Ａ）〜（Ｃ）に示す重ね合わせ接着シート１１は、一例として、２つ折りハガキとさせるもので、図１（Ａ）は表面１１Ａを示し、図１（Ｂ）は裏面である重ね合わせ面１１Ｂを示し、図１（Ｃ）はそのＡ−Ａ断面を示した図である。
【００１４】
重ね合わせ接着シート１１は、シート基材１２には重ね合わせ時に対象となる折り線１３を介して第１葉１４と第２葉１５とが同大で連接され、第２葉１５における折り線１３の対向辺の一の隅部に、重ね合わせ接着後に剥離させるための取っ掛かりとさせる切欠き部１５Ａが形成される。そして、当該シート１１の表面１１Ａにおける第１葉１４はハガキとなったときの宛名などが形成される。
【００１５】
重ね合わせ接着シート１１の裏面であって、重ね合わせ面（裏面１１Ｂ）には、図１（Ｂ）、（Ｃ）に示すように、シート基材１２における第２葉１５の重ね合わせ面における重ね合わせ時に対象となる折り線１３の対向辺で隅部を含んで再剥離性粘着剤層１７が所定幅で形成される。
【００１６】
なお、再剥離性粘着剤層１７を、重ね合わせ時に対象となる折り線１３の対向辺の上記切欠き部１５Ａを含む両隅部のみに形成してもよい。これは、重ね合わせ接着されてハガキとされたときに、取扱いで両隅部が剥がれやすいことから、この部分を最低限剥がれにくくさせるためである。一方で、粘着剤塗布という製造上の観点からは上記両隅部を含んで所定幅で塗布することが容易である。このことは、後述の図４及び図５においても同様である。
【００１７】
当該再剥離性粘着剤層１７は、例えば前述の特許文献１に記載されている再剥離粘着剤により形成された層であり、シーラなどの器具を使用せずに接着することが可能であり、また、接着後に剥離したときには他方側に粘着剤が残存しないものである。
【００１８】
また、第１葉１４及び第２葉１５の各裏面１１Ｂの重ね合わせ両面で、再剥離性粘着剤層１７の形成領域以外の領域に折り線１３を跨いで記入領域１６が設けられる。図では、第１葉１４の裏面１１Ｂの重ね合わせ面の略全部と、折り線１３を跨いで第２葉１５の裏面１１Ｂの重ね合わせ面における再剥離性粘着剤層１７が形成された領域以外の領域の近傍（領域ぎりぎりでもよい）にまで及ばせている。
【００１９】
さらに、第１葉１４及び第２葉１５の各裏面１１Ｂの重ね合わせ両面であって、第２葉１５の再剥離性粘着剤層１７の形成領域及び重ね合わされたときに当該再剥離性粘着剤層１７と対向する第１葉１４の領域１７Ａ以外の領域に記入可能な再剥離自己接着層１８が形成される。
【００２０】
当該再剥離自己接着層１８を形成する接着剤は、自己粘着性を有する高分子ポリマー等の材料からなり、この接着剤同士を重ね合わせて手で押し付けるなどの通常の圧力で自己のみが貼着及び剥離可能なものである。例えば、再剥離自己接着層１８を構成する接着剤において、折り線１３を境に接着剤１８Ａと接着剤１８Ｂとしたときに、接着剤１８Ａは、接着剤１８Ｂのみが貼着及び剥離可能なものであり、また、接着剤１８Ｂは、接着剤１８Ａのみが貼着及び剥離可能なものである。このような接着剤１８（１８Ａ，１８Ｂ）としては、常温、常圧において自着性を有し、他着性を有しないものが挙げられ、一例としてリカボンドＡＰ−２１７（中央理化工業株式会社製の商品名）が挙げられる。
【００２１】
そして、図１（Ｃ）に示すように、上記再剥離性粘着剤層１７上には剥離紙１９が貼着される。この剥離紙１９は、記入領域１６への記入時に当該再剥離性粘着剤層１７が邪魔にならないようにすると共に、封筒などに封入したときに他の部材と接着させないためものである。
【００２２】
そこで、図２及び図３に、図１の重ね合わせ接着シートの使用形態の説明図を示す。図２（Ａ）に示すように、ハガキとなる重ね合わせ接着シート１１の記入領域１６に記入するために例えば複写紙２１が使用される。当該複写紙２１は、例えばバックカーボン紙であり、シート１１の記入領域１６と同一大で同一フォームの記入領域２２が形成されており、当該複写紙２１によるシート１１の記入領域１６への記入後は、控え用紙としての役割をなす。なお、複写紙２１を使用せずに、記入領域１６に直接に記入することとしてもよい。また、記入のためのフォームとしては、例えば金融機関に対する口座自動振込申込書などがある。
【００２３】
上記複写紙２１は、図２（Ｂ）に示すように、重ね合わせ接着シート１１の記入領域１６上に、そのフォームを一致させて重ね合わせ、記入フォームに沿って記入が行われて記入情報となる。このとき、シート１１の再剥離性粘着剤層１７上には剥離紙１９が貼着されていることから、記入時に邪魔になることはない。
【００２４】
シート１１の記入領域１６上への記入後は、図３（Ａ）に示すように、複写紙２１を分離させて控えとさせ、適宜押印した後に剥離紙１９を剥離させる。そして図３（Ｂ）に示すように、シート裏面１１Ｂを重ね合わせ面として、折り線１３より第１葉１４と第２葉１５とを折り曲げて重ね合わせる。そして、再剥離性粘着剤層１７の形成部分及び再剥離自己接着層１８の形成部分を手で押し付けるようにすることで、これらが再剥離可能に接着される。
【００２５】
すなわち、図３（Ｂ）、（Ｃ）に示すように、第２葉１５に形成された再剥離性粘着剤層１７は第１葉１４上の接着剤が塗布されていない領域で剥離可能に接着され、再剥離自己接着層１８は折り線１３を境に接着剤同士で剥離可能に接着されるものである。
【００２６】
このように、所定の記入が行われ、重ね合わせ接着することでハガキの形態となって投函されることとなる。受け取り側では、切欠き部１５Ａより再剥離性粘着剤層１７の部分を剥離し、続いて再剥離自己接着層１８の部分を剥離して記入情報を表出させて所定の情報処理に供させるものである。
【００２７】
なお、シート基材１２において、再剥離性粘着剤層１７と再剥離自己接着層１８との境部分に切取線を形成してもよい。すなわち、剥離後に再剥離性粘着剤層１７の形成部分を切り取ることによって、粘着剤の存在に影響されずに、例えば情報の自動読み取りなどを行うことができ、また保管する場合にはブロッキングを防止することができるものである。このことは、後述の図５の実施形態においても同様である。
【００２８】
また、上記実施形態では、再剥離性粘着剤層１７の形成部分を第２葉１５の重ね合わせ面とした場合を示したが、第１葉１４側に形成することとしても同様であり、相対的なものである。このことは、後述の図４及び図５の実施形態においても同様である。
【００２９】
次に、図４及び図５に、本発明に係る重ね合わせ接着シートにおける他の実施形態の構成説明図を示す。上記実施形態では、重ね合わせ接着シート１１を２つ折りハガキに適用させた場合を示したが、図４では３つ折り（いわゆるＺ折り）ハガキに適用した場合を示し、図５ではハガキの一部を情報隠蔽部分（記入領域）とする形態に適用させた場合を示したものである。
【００３０】
図４（Ａ）、（Ｂ）において、後にハガキ形態とするシート基材１２は、第１葉１４と第２葉１５とを折り線１３Ａで連接させ、第２葉１５と第３葉３１とを折り線１３Ｂで連接させたものである。図４（Ａ）をシート１１の表面１１Ａにおける第２葉１５と第３葉３１とを重ね合わせ面とし、図４（Ｂ）をシート１１の裏面１１Ｂにおける第１葉１４と第２葉１５とを重ね合わせ面としている。そして、第３葉３１の一の隅部に切欠き部１５Ａを形成している。
【００３１】
図４（Ａ）において、シート基材１２における第３葉３１の重ね合わせ面における重ね合わせ時に対象となる折り線１３Ｂの対向辺で隅部を含んで再剥離性粘着剤層１７Ａが所定幅で形成される。また、第２葉１５及び第３葉３１の各表面１１Ａの重ね合わせ両面で、再剥離性粘着剤層１７Ａの形成領域以外の領域に折り線１３Ｂを跨いで記入領域１６Ａが設けられる。
【００３２】
さらに、第２葉１５及び第３葉３１の重ね合わせ両面であって、第３葉３１の裏面の再剥離性粘着剤層１７Ａの形成領域及び重ね合わされたときに当該再剥離性粘着剤層１７Ａと対向する第２葉１５の領域１７Ｂ以外の領域に記入可能な再剥離自己接着層１８が形成される。
【００３３】
一方、図４（Ｂ）において、シート基材１２における第１葉１４の重ね合わせ面における重ね合わせ時に対象となる折り線１３Ａの対向辺で隅部を含んで再剥離性粘着剤層１７Ｃが所定幅で形成される。また、第１葉１４及び第２葉１５の各裏面１１Ｂの重ね合わせ両面で、再剥離性粘着剤層１７Ｃの形成領域以外の領域に折り線１３Ａを跨いで記入領域１６Ｂが設けられる。
【００３４】
さらに、第１葉１４及び第２葉１５の重ね合わせ両面であって、第１葉１４の裏面の再剥離性粘着剤層１７Ｃの形成領域及び重ね合わされたときに当該再剥離性粘着剤層１７Ｃと対向する第２葉１５の領域１７Ｄ以外の領域に記入可能な再剥離自己接着層１８が形成されるものである。なお、図示しないが、シート１１の表面１１Ａ及び裏面１１Ｂに形成された再剥離性粘着剤層１７Ａ，１７Ｃ上に剥離紙が貼着される。
【００３５】
このようなシート１１は、記入領域１６Ａ，１６Ｂに複写紙などで記入して剥離紙を剥離した後、図４（Ｃ）に示すように、シート１１の表面１１Ａにおける第２葉１５の重ね合わせ面及び第３葉３１重ね合わせ面を折り線１３Ｂより折り曲げて重ね合わせると共に、シート１１の裏面１１Ｂにおける第１葉１４の重ね合わせ面及び第２葉１５重ね合わせ面を折り線１３Ａより折り曲げて重ね合わせていわゆるＺ折りし、再剥離性粘着剤層１７Ａ，１７Ｃの形成部分及び再剥離自己接着層１８の形成部分を手で押し付けるようにすることで、これらが再剥離可能に接着される。
【００３６】
これによって、第３葉３１に形成された再剥離性粘着剤層１７Ａは第２葉１５上の接着剤が塗布されていない領域で剥離可能に接着され、再剥離自己接着層１８は折り線１３Ｂを境に接着剤同士で剥離可能に接着されると共に、第１葉１４に形成された再剥離性粘着剤層１７Ｃは第２葉１５上の接着剤が塗布されていない領域で剥離可能に接着され、再剥離自己接着層１８は折り線１３Ａを境に接着剤同士で剥離可能に接着されるものである。
【００３７】
続いて、図５（Ａ）において、後にハガキ形態とするシート基材１２は、ハガキ大の第１葉１４の下端に重ね合わせ片３２が折り線１３で連接されたものである。当該重ね合わせ片３２は、その縦方向の長さが第１葉１４の縦方向の長さより短く、折り線１３で折り重ねたときに当該第１葉１４に形成される宛名領域を浸食しない程度の長さであり、当該長さ分の領域を情報領域１４Ａとする。
【００３８】
シート１１の表面１１Ａにおける上記情報領域１４Ａと重ね合わせ片３２の表面１１Ａとが重ね合わせ面となる。なお、重ね合わせ片３２一の隅部には切欠き部１５Ａが形成される。そして、第１葉１４の情報領域１４Ａと重ね合わせ片３２の重ね合わせ面における重ね合わせ時に対象となる折り線１３の対向辺で隅部を含んで再剥離性粘着剤層１７が所定幅で形成される。
【００３９】
また、上記重ね合わせ両面で、再剥離性粘着剤層１７の形成領域以外の領域に折り線１３を跨いで記入領域１６が設けられる。さらに、上記重ね合わせ両面であって、再剥離性粘着剤層１７の形成領域及び重ね合わされたときに当該再剥離性粘着剤層１７と対向する第１葉１３の領域１７Ｅ以外の領域に記入可能な再剥離自己接着層１８が形成されるたものである。なお、図示しないが、シート１１の重ね合わせ片３２に形成された再剥離性粘着剤層１７上に剥離紙が貼着される。
【００４０】
このようなシート１１は、記入領域１６に複写紙などで記入して剥離紙を剥離した後、図５（Ｂ）に示すように、重ね合わせ片３２を折り線１３より折り曲げて上記重ね合わせ面同士を重ね合わせ、再剥離性粘着剤層１７の形成部分及び再剥離自己接着層１８の形成部分を手で押し付けるようにすることで、これらが再剥離可能に接着される。
【００４１】
これによって、重ね合わせ片３２に形成された再剥離性粘着剤層１７は第１葉１４における情報領域１４Ａの接着剤が塗布されていない領域で剥離可能に接着され、再剥離自己接着層１８は折り線１３を境に接着剤同士で剥離可能に接着されるものである。
【００４２】
上記各実施形態のように、再剥離性接着剤層１７（１７Ａ，１７Ｃ）と再剥離自己接着層１８とで重ね合わせ面を高価な２層フィルムを使用することなく全面密着させ、折り線１３（１３Ａ，１３Ｂ）を跨いで記入可能な再剥離自己接着層を含めた領域に記入領域１６（１６Ａ，１６Ｂ）を設けることを可能としたことから、安価で記入情報の増量を図ることができるものである。
【産業上の利用可能性】
【００４３】
本発明の重ね合わせ接着シートは、隠蔽ハガキ、封筒、帳票等の重ね合わせ接着して作製する製造産業及び使用に利用可能である。
【符号の説明】
【００４４】
１１            重ね合わせ接着シート
１２            シート基材
１３            折り線
１４            第１葉
１５            第２葉
１６，２２      記入領域
１７            再剥離性粘着剤層
１８            再剥離自己接着層
１９            剥離紙
２１            複写紙
３１            第３葉
３２            重ね合わせ片
【図１】
2015058654.tif 000003
【図２】
2015058654.tif 000004
【図３】
2015058654.tif 000005
【図４】
2015058654.tif 000006
【図５】
2015058654.tif 000007